(57)【要約】【課題】コンテンツ情報にエンターテイメント性を持たせた出力情報提供システム、出力情報提供サーバ、携帯電話機、及びコンピュータ・プログラムを提供すること。【解決手段】出力情報提供システム（１００）は、携帯電話機（１）と、携帯電話機にネットワーク（５）を介して接続され携帯電話機で出力される出力内容に関する出力情報を送信するサーバ（３）とを備える。サーバ（３）は、コンテンツ及びコンテンツに関連する情報のうち少なくとも一方であるコンテンツ情報と、コンテンツに関連付けられた出力情報とを携帯電話機に送信する送信制御手段（１３５）を備え、携帯電話機（１）は、サーバの送信制御手段から受信した出力情報に基づき、出力内容を出力する第１出力制御手段（１１５）と、サーバの送信制御手段から受信したコンテンツ情報を出力する第２出力制御手段（１１６）と、を備える。【選択図】図２
2008305146.tif 000002
【特許請求の範囲】
【請求項１】
携帯電話機と、前記携帯電話機にネットワークを介して接続され前記携帯電話機で出力される出力内容に関する出力情報を送信するサーバとを備える出力情報提供システムであって、
前記サーバは、コンテンツ及び前記コンテンツに関連する情報のうち少なくとも一方であるコンテンツ情報と、前記コンテンツに関連付けられた前記出力情報とを前記携帯電話機に送信する送信制御手段を備え、
前記携帯電話機は、
前記サーバの前記送信制御手段から受信した前記出力情報に基づき、前記出力内容を出力する第１出力制御手段と、
前記サーバの前記送信制御手段から受信した前記コンテンツ情報を出力する第２出力制御手段と、を備えることを特徴とする出力情報提供システム。
【請求項２】
請求項１に記載の出力情報提供システムにおいて、
前記携帯電話機は、前記出力内容の出力タイミングに関する設定を行うタイミング設定制御手段を備えることを特徴とする出力情報提供システム。
【請求項３】
請求項１又は２に記載の出力情報提供システムにおいて、
前記サーバは、前記コンテンツ情報に基づき前記コンテンツ情報に関連する前記出力情報を決定する出力情報決定手段を備えることを特徴とする出力情報提供システム。
【請求項４】
請求項１から３のいずれかに記載の出力情報提供システムにおいて、
前記サーバは、
前記コンテンツの発生を検知する検知手段と、
前記検知手段により検知したことに応じて、前記コンテンツを前記送信制御手段により前記携帯電話機に送信するか否かを選択するコンテンツ選択手段と、を備えることを特徴とする出力情報提供システム。
【請求項５】
請求項４に記載の出力情報提供システムにおいて、
前記携帯電話機は、
前記コンテンツの種類に関する入力を受け付ける受付手段と、
前記受付手段により受け付けた前記コンテンツの種類を前記サーバに送信する送信制御手段と、を備え、
前記サーバの前記コンテンツ選択手段は、前記携帯電話機から受信した前記コンテンツの種類に基づき、前記検知手段により検知した前記コンテンツを前記携帯電話機に送信するか否かを選択することを特徴とする出力情報提供システム。
【請求項６】
請求項１から５のいずれかに記載の出力情報提供システムにおいて、
前記サーバの前記送信制御手段は、前記コンテンツ情報として前記コンテンツの格納位置を示す位置データを前記携帯電話機に送信することを特徴とする出力情報提供システム。
【請求項７】
請求項３に記載の出力情報提供システムにおいて、
前記サーバは、前記コンテンツに関連するキーワードを記憶する記憶手段を備え、
前記出力情報決定手段は、
前記記憶手段に記憶された前記キーワードに基づき、前記コンテンツから文字データを抽出する抽出手段と、
前記抽出手段により抽出された前記文字データに基づき、前記出力情報を選択する出力情報選択手段と、を備えることを特徴とする出力情報提供システム。
【請求項８】
請求項１から７のいずれかに記載の出力情報提供システムにおいて、
前記出力情報は、前記携帯電話機から出力される音、振動、発光の少なくとも１つに関するものであることを特徴とする出力情報提供システム。
【請求項９】
請求項５に記載の出力情報提供システムにおいて、
前記携帯電話機の前記受付手段は、音の種類の入力を受け付け、
前記携帯電話機の前記送信制御手段は、前記受付手段により受け付けた前記音の種類を前記サーバに送信し、
前記サーバは、前記携帯電話機から受信した前記音の種類に対応する前記出力情報を選択する音情報選択手段を備えることを特徴とする出力情報提供システム。
【請求項１０】
請求項９に記載の出力情報提供システムにおいて、
前記出力情報は、前記サーバ及び前記サーバと前記ネットワークを介して接続された他のサーバのうち少なくとも一方に記憶されたものであることを特徴とする出力情報提供システム。
【請求項１１】
携帯電話機にネットワークを介して接続され、前記携帯電話機で出力される出力内容に関する出力情報を送信する出力情報提供サーバであって、
コンテンツ及び前記コンテンツに関連する情報のうち少なくとも一方であるコンテンツ情報と、前記コンテンツに関連付けられた前記出力情報とを前記携帯電話機に送信する送信制御手段を備えることを特徴とする出力情報提供サーバ。
【請求項１２】
請求項１１に記載の出力情報提供サーバにおいて、
前記コンテンツ情報に基づき前記コンテンツ情報に関連する前記出力情報を決定する出力情報決定手段を備えることを特徴とする出力情報提供サーバ。
【請求項１３】
請求項１１又は１２に記載の出力情報提供サーバにおいて、
前記コンテンツの発生を検知する検知手段と、
前記検知手段により検知したことに応じて、前記コンテンツを前記送信制御手段により前記携帯電話機に送信するか否かを選択するコンテンツ選択手段と、を備えることを特徴とする出力情報提供サーバ。
【請求項１４】
請求項１３に記載の出力情報提供サーバにおいて、
前記コンテンツ選択手段は、前記携帯電話機から受信した前記コンテンツの種類に基づき、前記検知手段により検知した前記コンテンツを前記携帯電話機に送信するか否かを選択することを特徴とする出力情報提供サーバ。
【請求項１５】
請求項１１から１４のいずれかに記載の出力情報提供サーバにおいて、
前記送信制御手段は、前記コンテンツ情報として前記コンテンツの格納位置を示す位置データを前記携帯電話機に送信することを特徴とする出力情報提供サーバ。
【請求項１６】
請求項１２に記載の出力情報提供サーバにおいて、
前記コンテンツに関連するキーワードを記憶する記憶手段を備え、
前記出力情報決定手段は、
前記記憶手段に記憶された前記キーワードに基づき、前記コンテンツから文字データを抽出する抽出手段と、
前記抽出手段により抽出された前記文字データに基づき、前記出力情報を選択する出力情報選択手段と、を備えることを特徴とする出力情報提供サーバ。
【請求項１７】
請求項１１から１６のいずれかに記載の出力情報提供サーバにおいて、
前記携帯電話機から受信した音の種類に対応する前記出力情報を選択する音情報選択手段を備えることを特徴とする出力情報提供サーバ。
【請求項１８】
出力内容に関する出力情報を送信するサーバとネットワークを介して接続された携帯電話機であって、
前記サーバから送信されたコンテンツ及び前記コンテンツに関連する情報のうち少なくとも一方であるコンテンツ情報と、前記コンテンツに関連付けられた前記出力情報とを受信する受信制御手段と、
前記受信制御手段により受信した前記出力情報に基づき、前記出力内容を出力する第１出力制御手段と、
前記受信制御手段により受信した前記コンテンツ情報を出力する第２出力制御手段と、を備えることを特徴とする携帯電話機。
【請求項１９】
コンピュータに、
サーバから送信されたコンテンツ及び前記コンテンツに関連する情報のうち少なくとも一方であるコンテンツ情報と、前記コンテンツに関連付けられた出力内容に関する出力情報とを受信するステップと、
受信した前記出力情報に基づき、前記出力内容を出力するステップと、
受信した前記コンテンツ情報を出力するステップと、を実行させるためのコンピュータ・プログラム。
【発明の詳細な説明】
【技術分野】
【０００１】
本発明は、携帯電話機で出力される出力情報をサーバが提供する出力情報提供システム、出力情報提供サーバ、携帯電話機、及びコンピュータ・プログラムに関する。
【背景技術】
【０００２】
従来、携帯電話機において、情報提供サーバと通信を行うことにより、携帯電話機で利用可能な様々な情報を受信することができるサービスが提供されている。例えば、イベントの内容が記述されたスケジュールを携帯電話機から受信すると、そのイベントの内容を考慮して携帯電話機に提供する天気予報情報を検索し、検索した結果の天気予報情報を携帯電話機に送信する情報提供方法が開示されている（例えば、特許文献１）。
【特許文献１】特開２００２−２３００２２号公報
【０００３】
また、今般では、最新ニュースや天気等の情報を簡単にチェックできる情報配信サービスが、携帯電話会社により提供されている。この情報配信サービスは、設定により、例えば、１時間ごとに情報を携帯電話機に自動配信し、携帯電話機の待ち受け画面上にテロップやウィンドウの態様で表示する。そして、表示された情報をクリックすることで興味のある情報の詳細を表示する機能を有するものが存在する。
【発明の開示】
【発明が解決しようとする課題】
【０００４】
特許文献１は、イベントの内容を考慮した情報提供を行うものである。一方、ニュース等の情報は、随時発生する。ユーザが、イベントの有無に拘らずユーザの興味のある情報を得たいという要求を満足するものではない。また、今般提供されているサービスは、ニュース等の情報を自動配信するため、ユーザの興味のある情報を得ることができるが、これらは、いずれも情報を伝えることを目的とするものである。したがって、情報そのものを文字により出力するものであり、エンターテイメント性に乏しい。
【０００５】
そこで、本発明は、コンテンツ情報にエンターテイメント性を持たせた出力情報提供システム、出力情報提供サーバ、携帯電話機、及びコンピュータ・プログラムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
請求項１の発明は、携帯電話機（１）と、前記携帯電話機にネットワーク（５）を介して接続され前記携帯電話機で出力される出力内容に関する出力情報を送信するサーバ（３）とを備える出力情報提供システム（１００）であって、前記サーバは、コンテンツ及び前記コンテンツに関連する情報のうち少なくとも一方であるコンテンツ情報と、前記コンテンツに関連付けられた前記出力情報とを前記携帯電話機に送信する送信制御手段（１３５）を備え、前記携帯電話機は、前記サーバの前記送信制御手段から受信した前記出力情報に基づき、前記出力内容を出力する第１出力制御手段（１１５）と、前記サーバの前記送信制御手段から受信した前記コンテンツ情報を出力する第２出力制御手段（１１６）と、を備えることを特徴とする出力情報提供システムである。
【０００８】
請求項２の発明は、請求項１に記載の出力情報提供システム（１００）において、前記携帯電話機（１）は、前記出力内容の出力タイミングに関する設定を行うタイミング設定制御手段（１１１）を備えることを特徴とする出力情報提供システムである。
請求項３の発明は、請求項１又は２に記載の出力情報提供システム（１００）において、前記サーバ（３）は、前記コンテンツ情報に基づき前記コンテンツ情報に関連する前記出力情報を決定する出力情報決定手段（１３８）を備えることを特徴とする出力情報提供システムである。
請求項４の発明は、請求項１から３のいずれかに記載の出力情報提供システム（１００）において、前記サーバ（３）は、前記コンテンツの発生を検知する検知手段（１３１）と、前記検知手段により検知したことに応じて、前記コンテンツを前記送信制御手段（１３５）により前記携帯電話機（１）に送信するか否かを選択するコンテンツ選択手段（１３２）と、を備えることを特徴とする出力情報提供システムである。
請求項５の発明は、請求項４に記載の出力情報提供システム（１００）において、前記携帯電話機（１）は、前記コンテンツの種類に関する入力を受け付ける受付手段（１１２）と、前記受付手段により受け付けた前記コンテンツの種類を前記サーバ（３）に送信する送信制御手段（１１３）と、を備え、前記サーバの前記コンテンツ選択手段（１３２）は、前記携帯電話機から受信した前記コンテンツの種類に基づき、前記検知手段（１３１）により検知した前記コンテンツを前記携帯電話機に送信するか否かを選択することを特徴とする出力情報提供システムである。
請求項６の発明は、請求項１から５のいずれかに記載の出力情報提供システム（１００）において、前記サーバ（３）の前記送信制御手段（１３５）は、前記コンテンツ情報として前記コンテンツの格納位置を示す位置データ（５３）を前記携帯電話機（１）に送信することを特徴とする出力情報提供システムである。
請求項７の発明は、請求項３に記載の出力情報提供システム（１００）において、前記サーバ（３）は、前記コンテンツに関連するキーワードを記憶する記憶手段（３１）を備え、前記出力情報決定手段（１３８）は、前記記憶手段に記憶された前記キーワードに基づき、前記コンテンツから文字データを抽出する抽出手段（１３３）と、前記抽出手段により抽出された前記文字データに基づき、前記出力情報を選択する出力情報選択手段（１３４）と、を備えることを特徴とする出力情報提供システムである。
請求項８の発明は、請求項１から７のいずれかに記載の出力情報提供システム（１００）において、前記出力情報は、前記携帯電話機（１）から出力される音、振動、発光の少なくとも１つに関するものであることを特徴とする出力情報提供システムである。
請求項９の発明は、請求項５に記載の出力情報提供システム（１００）において、前記携帯電話機（１）の前記受付手段（１１２）は、音の種類の入力を受け付け、前記携帯電話機の前記送信制御手段（１１３）は、前記受付手段により受け付けた前記音の種類を前記サーバ（３）に送信し、前記サーバは、前記携帯電話機から受信した前記音の種類に対応する前記出力情報を選択する音情報選択手段（１３６）を備えることを特徴とする出力情報提供システムである。
請求項１０の発明は、請求項９に記載の出力情報提供システム（１００）において、前記出力情報は、前記サーバ（３）及び前記サーバと前記ネットワーク（５）を介して接続された他のサーバ（８）のうち少なくとも一方に記憶されたものであることを特徴とする出力情報提供システムである。
【０００９】
請求項１１の発明は、携帯電話機（１）にネットワーク（５）を介して接続され、前記携帯電話機で出力される出力内容に関する出力情報を送信する出力情報提供サーバ（３）であって、コンテンツ及び前記コンテンツに関連する情報のうち少なくとも一方であるコンテンツ情報と、前記コンテンツに関連付けられた前記出力情報とを前記携帯電話機に送信する送信制御手段（１３５）を備えることを特徴とする出力情報提供サーバである。
【００１０】
請求項１２の発明は、請求項１１に記載の出力情報提供サーバ（３）において、前記コンテンツ情報に基づき前記コンテンツ情報に関連する前記出力情報を決定する出力情報決定手段（１３８）を備えることを特徴とする出力情報提供サーバである。
請求項１３の発明は、請求項１１又は１２に記載の出力情報提供サーバ（３）において、前記コンテンツの発生を検知する検知手段（１３１）と、前記検知手段により検知したことに応じて、前記コンテンツを前記送信制御手段（１３５）により前記携帯電話機（１）に送信するか否かを選択するコンテンツ選択手段（１３２）と、を備えることを特徴とする出力情報提供サーバである。
請求項１４の発明は、請求項１３に記載の出力情報提供サーバ（３）において、前記コンテンツ選択手段（１３２）は、前記携帯電話機（１）から受信した前記コンテンツの種類に基づき、前記検知手段（１３１）により検知した前記コンテンツを前記携帯電話機に送信するか否かを選択することを特徴とする出力情報提供サーバである。
請求項１５の発明は、請求項１１から１４のいずれかに記載の出力情報提供サーバ（３）において、前記送信制御手段（１３５）は、前記コンテンツ情報として前記コンテンツの格納位置を示す位置データ（５３）を前記携帯電話機（１）に送信することを特徴とする出力情報提供サーバである。
請求項１６の発明は、請求項１２に記載の出力情報提供サーバ（３）において、前記コンテンツに関連するキーワードを記憶する記憶手段（３１）を備え、前記出力情報決定手段（１３８）は、前記記憶手段に記憶された前記キーワードに基づき、前記コンテンツから文字データを抽出する抽出手段（１３３）と、前記抽出手段により抽出された前記文字データに基づき、前記出力情報を選択する出力情報選択手段（１３４）と、を備えることを特徴とする出力情報提供サーバである。
請求項１７の発明は、請求項１１から１６のいずれかに記載の出力情報提供サーバ（３）において、前記携帯電話機（１）から受信した音の種類に対応する前記出力情報を選択する音情報選択手段（１３６）を備えることを特徴とする出力情報提供サーバである。
【００１１】
請求項１８の発明は、出力内容に関する出力情報を送信するサーバ（３）とネットワーク（５）を介して接続された携帯電話機（１）であって、前記サーバから送信されたコンテンツ及び前記コンテンツに関連する情報のうち少なくとも一方であるコンテンツ情報と、前記コンテンツに関連付けられた前記出力情報とを受信する受信制御手段（１１４）と、前記受信制御手段により受信した前記出力情報に基づき、前記出力内容を出力する第１出力制御手段（１１５）と、前記受信制御手段により受信した前記コンテンツ情報を出力する第２出力制御手段（１１６）と、を備えることを特徴とする携帯電話機である。
【００１２】
請求項１９の発明は、コンピュータに、サーバ（３）から送信されたコンテンツ及び前記コンテンツに関連する情報のうち少なくとも一方であるコンテンツ情報と、前記コンテンツに関連付けられた出力内容に関する出力情報とを受信するステップと、受信した前記出力情報に基づき、前記出力内容を出力するステップと、受信した前記コンテンツ情報を出力するステップと、を実行させるためのコンピュータ・プログラムである。
なお、符号を付して説明した構成は、適宜改良してもよく、また、少なくとも一部を他の構成物に代替してもよい。
【発明の効果】
【００１３】
本発明によれば、以下の効果を奏することができる。
（１）本発明は、コンテンツ及びコンテンツに関連する情報のうち少なくとも一方であるコンテンツ情報と、当該コンテンツに関連付けられた出力情報とを、サーバが送信することにより、携帯電話機では、両情報を受信し出力する。コンテンツとは、例えば、ニュースの内容を含むニュースのコンテンツをいう。また、コンテンツに関連する情報とは、例えば、コンテンツの要約である簡易版のコンテンツやコンテンツの格納位置情報をいう。さらに、出力情報とは、例えば、ユーザがコンテンツを見なくても知りうる音データをいう。よって、コンテンツに関連付けられた出力情報が、ユーザにコンテンツを見させる動機付けとなる。また、出力情報の態様によって、エンターテイメント性を持たせることができ、コンテンツに対する興味を惹きつけることができる。さらに、ユーザは、出力されたコンテンツ情報と出力情報とを比較することができ、両情報の関連性を楽しむことができる。
【００１４】
（２）本発明は、携帯電話機において出力タイミングを設定できる。よって、例えば、電話やメールの着信音やアラームを出力タイミングとしてユーザが設定することができる。
（３）本発明は、コンテンツ情報に基づき、コンテンツ情報に関連する出力情報を決定する。よって、コンテンツ情報が変化することにより、出力情報を変化させることができる。また、（２）と組み合わせることで、例えば、所定の時間で音を出力するアラームの機能を設定した場合には、コンテンツ情報に基づき決定される出力情報が携帯電話機に送信されることにより異なる音を出力することができるため、例えば、毎朝違ったアラーム音で目を覚ますことができる。
【００１５】
（４）本発明は、サーバにおいてコンテンツの発生を検知し、また、コンテンツを携帯電話機に送信するか否かを選択する。よって、選択されたコンテンツのみを携帯電話機に送信するので、サーバ負荷及びネットワーク負荷が軽減できる。
【００１６】
（５）本発明は、携帯電話機においてコンテンツの種類を受け付け、コンテンツの種類はサーバに送信される。そして、サーバにおいてコンテンツの種類に基づきコンテンツを携帯電話機に送信するか否かを選択する。よって、サーバは、予め設定された情報に基づき、自動的にコンテンツを携帯電話機に送信するので、シームレスに本機能を楽しむことができる。また、サーバは、ユーザの希望のコンテンツに関してのみ送信する等、ユーザの設定に基づきコンテンツを選択するので、ユーザは、出力されたコンテンツから好みのコンテンツを選別するといった手間を省くことができ、好みのコンテンツのみを知ることができる。
【００１７】
（６）本発明は、サーバにおいて、例えば、コンテンツの格納場所を示すＵＲＬ等のコンテンツの位置データを携帯電話機に送信するので、コンテンツ全体を送信するものと比較して送信容量が少なくて済む。よって、ネットワーク負荷をより軽減できる。しかも、ユーザは、位置データに基づきコンテンツ自体を見ることができるため、コンテンツの内容を完全に把握することができる。
【００１８】
（７）本発明は、サーバにおいてキーワードに基づきコンテンツから文字データを抽出し、当該文字データから出力情報を選択するので、文字データを用いてコンテンツに関連した出力情報を選択することができる。
（８）本発明は、出力情報として音、振動、発光の少なくとも１つに関するものを携帯電話機で出力するので、ユーザが認識しやすい態様で知らせることができる。そのため、その後にコンテンツを見る等の出力に関連した行動をユーザが起こす契機となる。よって、出力情報を出力後、鮮度のいいコンテンツを参照するまでの時間を短縮できる。
【００１９】
（９）本発明は、携帯電話機において音の種類を受け付ける。音の種類とは、例えば、メロディのみか、歌唱付きのメロディか等の音のバリエーションや、クラシック、Ｊ−ＰＯＰ等の音のジャンル等を含む広い概念である。よって、出力される音に関して、ユーザの好みの種類の音を、携帯電話機で出力することができる。
（１０）本発明は、出力情報としての音データをサーバで有さずとも、他のサーバが有する出力情報を用いて実現できるので、ネットワーク上に存在する資源の有効活用を図ることができる。
【発明を実施するための最良の形態】
【００２０】
本発明は、コンテンツ情報にエンターテイメント性を持たせた出力情報提供システム、出力情報提供サーバ、携帯電話機、及びコンピュータ・プログラムを提供するという目的を、サーバがコンテンツ及びコンテンツに関連する情報のうち少なくとも一方であるコンテンツ情報と、当該コンテンツに関連付けられた出力情報とを送信し、携帯電話機が両情報を受信し出力することによって実現した。
【００２１】
以下、本発明を実施するための最良の形態について図を参照しながら説明する。なお、これはあくまでも一例であって、本発明の技術的範囲はこれに限られるものではない。
【００２２】
図１は、本実施形態の一例に係る出力情報提供システム１００（以下、単にシステム１００という）の構成を示す図である。システム１００は、携帯電話機１と出力情報提供サーバ３とがネットワーク５を介して接続されている。また、ネットワーク５には、ニュースや天気予報等の情報の内容であるコンテンツを格納したコンテンツサーバ７及び携帯電話機１で出力可能な形式の音データである出力情報を格納した音データサーバ８が接続されている。システム１００は、出力情報提供サーバ３がコンテンツ情報と出力情報とを携帯電話機１に送信することにより、携帯電話機１が、出力情報に基づき出力内容を出力する。また、携帯電話機１は、コンテンツ情報を出力する。なお、コンテンツ情報は、コンテンツ自体のみならず、例えば、コンテンツの要約等のコンテンツの簡略版やコンテンツの格納位置情報である位置に関するリンク情報等のコンテンツに関連する情報をも含む概念である。また、出力情報とは、ユーザがコンテンツを見なくても知りうるものであり、例えば、音データや、振動を発生させるためのデータ、発光させるためのデータをいう。以降、本実施形態では、コンテンツ情報としてコンテンツの格納位置データを出力情報として、音データを、各々用いて説明する。
【００２３】
携帯電話機１は、電話や電子メールの送受信を行ったり、コンテンツを表示したりすることができる、携帯型の端末である。
ネットワーク５は、例えば、携帯電話機１及び出力情報提供サーバ３間の通信を行うためのものである。携帯電話機１は、通常は基地局（図示せず）との間で電波による無線通信を利用することにより通信を行う。
出力情報提供サーバ３は、携帯電話機１で出力可能なコンテンツや音データを、携帯電話機１に送信する。コンテンツサーバ７は、携帯電話機１で出力可能なコンテンツを格納する。音データサーバ８は、携帯電話機１で出力可能な出力情報である音データを格納する。コンテンツサーバ７及び音データサーバ８は、出力情報提供サーバ３からの通信に基づき、直接又は出力情報提供サーバ３を介して携帯電話機１にコンテンツや音データを送信する。図１では、出力情報提供サーバ３、コンテンツサーバ７、及び音データサーバ８は、各々別のサーバとして記載しているが、ハードウェアの数に制限はない。必要に応じて、１又は複数で構成してよい。また、出力情報提供サーバ３、コンテンツサーバ７、及び音データサーバ８のハードウェアは、必要に応じてＷｅｂサーバ、ＤＢ（データベース）サーバ、アプリケーションサーバ等の各種サーバを含んで構成してよく、１台のサーバで構成しても、それぞれ別のサーバで構成してもよい。
【００２４】
図２は、本実施形態の一例に係る携帯電話機１及び出力情報提供サーバ３の機能ブロックを示す図である。携帯電話機１は、主な構成として、制御部１０、表示部１１、操作部１２、バイブレータ部１３、発光部１４、送信部１５、受信部１６、音声出力部１７、及び記憶部２０を備える。制御部１０は、タイミング設定制御手段１１１、受付手段１１２、送信制御手段１１３、受信制御手段１１４、第１出力制御手段１１５、及び第２出力制御手段１１６を有する。また、出力情報提供サーバ３は、主な構成として、制御部３０、記憶部３１、送信部３３、及び受信部３４を備える。制御部３０は、検知手段１３１、コンテンツ選択手段１３２、出力情報決定手段１３８、送信制御手段１３５、及び音情報選択手段１３６を有する。また、出力情報決定手段１３８は、抽出手段１３３及び出力情報選択手段１３４を有する。この図２では、携帯電話機１については制御部１０を、出力情報提供サーバ３については制御部３０を、それぞれ介して各構成が接続された形となっているが、バスを介して全ての構成が接続される形であってもよい。
【００２５】
携帯電話機１の制御部１０は、情報の演算、及び処理を行う情報演算処理装置（ＣＰＵ）であり、当該携帯電話機１全体を制御するものである。制御部１０は、記憶部２０に記憶された各種プログラムを適宜読み出して実行することにより、携帯電話機１のハードウェアと協働し、本発明に係る各種機能を実現している。なお、本発明でいうコンピュータとは、制御部、記憶部等を備えた情報処理装置をいい、携帯電話機１は、制御部１０、記憶部２０等を備えた情報処理装置であり、本発明のコンピュータの概念に含まれる。
表示部１１は、ユーザの操作により電話や電子メールに関する表示や、コンテンツに関する表示を行うものである。主に、液晶表示装置（ＬＣＤ）等のディスプレイ装置を含む。表示部１１は、例えば、携帯電話機１に直接組み込まれている。
【００２６】
操作部１２は、ユーザによる入力の受け付けを行うものであり、各種キーやボタン等を含んでよい。バイブレータ部１３は、振動を発生させて携帯電話機１を振動させるものであり、制御部１０からの命令により、例えば、錘付きのモータ（図示せず）が回転することにより振動を発生させる。発光部１４は、制御部１０からの命令により、例えば、携帯電話機１に有するＬＥＤ（Ｌｉｇｈｔ  Ｅｍｉｔｔｉｎｇ  Ｄｉｏｄｅ）が発光する。
【００２７】
送信部１５及び受信部１６は、出力情報提供サーバ３から携帯電話機１に対しコンテンツ情報や出力情報を送信したり、携帯電話機１から出力情報提供サーバ３に対しコンテンツ要求を送信したりするものであり、アンテナ２３に接続されている。なお、送信部１５及び受信部１６は、携帯電話機１において電話や電子メールの送受信を当然に行う。音声出力部１７は、制御部１０から送信される音声データを、スピーカ２２により再生させるための役割を果たす。
【００２８】
記憶部２０は、着信時に出力するコンテンツを記憶し、制御部１０と組み合わせてプログラムの実行に使用するメモリを含んでよい。記憶部２０を実現するものとして、電気的、磁気的、光学的、電磁的に実現するものを含んでよい。より具体的には、半導体記憶装置、磁気ディスク、ランダム・アクセス・メモリ（ＲＡＭ）、リードオンリー・メモリ（ＲＯＭ）等が含まれる。メモリカード等の補助記憶装置も含む概念である。
【００２９】
一方、出力情報提供サーバ３の制御部３０は、情報の演算、及び処理を行う情報演算処理装置（ＣＰＵ）であり、当該出力情報提供サーバ３の全体を制御するものである。制御部３０は、記憶部３１に記憶された各種プログラムを適宜読み出して実行することにより、出力情報提供サーバ３のハードウェアと協働し、本発明に係る各種機能を実現している。
【００３０】
記憶部３１は、制御部３０と組み合わせてプログラムの実行に使用するメモリを含んでよい。記憶部３１を実現するものとして、電気的、磁気的、光学的、電磁的に実現するものを含んでよい。より具体的には、半導体記憶装置、磁気ディスク、ランダム・アクセス・メモリ、リードオンリー・メモリ等が含まれる。出力情報提供サーバ３と外部接続することができる磁気テープ、ＣＤ−ＲＯＭとＣＤ−Ｒ／ＷとＤＶＤとを含む光ディスクや、メモリカード等の補助記憶装置も含む概念である。
送信部３３及び受信部３４は、当該出力情報提供サーバ３を、ネットワーク５を介して携帯電話機１並びにコンテンツサーバ７及び音データサーバ８（図１参照）と接続できるようにするためのネットワーク・アダプタである。送信部３３及び受信部３４は、モデム、ケーブルモデム及びイーサネット（登録商標）・アダプタを含んでよい。
【００３１】
次に、携帯電話機１により取得コンテンツと報知手段とを設定する処理について説明する。
図３は、本実施形態の一例に係る出力情報提供システム１００の設定処理を示すフローチャートである。
図４は、本実施形態の一例に係る設定処理時の携帯電話機１が表示する画面表示例を示す図である。
図５は、図３の処理において使用するテーブルの例を示す図である。
【００３２】
まず、図３において、ステップＳ１１では、ユーザが操作部１２を操作することにより、制御部１０（タイミング設定制御手段１１１、受付手段１１２）は、取得するコンテンツであるニュースの種類及び報知手段の設定を受け付ける。報知手段とは、出力情報を出力し、ユーザに出力内容を知らせる手段をいう。
ここで、図４に、設定を受け付ける際に表示部１１に表示される画面表示例を示す。図４（ａ）は、例えば、メニュー画面（図示せず）からニュースメロディのダウンロードサービスを選択した際に出力される画面を示す。このサービスを利用する場合には、次へボタン表示４１の指示に対応した操作により、メロディをダウンロードするための設定画面（図４（ｂ）以降）に画面が遷移する。また、このサービスを利用しない場合には、戻るボタン表示４０の指示に対応した操作により、前の画面に戻る。
図４（ｂ）は、コンテンツであるニュースの種類を選択する画面を示す。ニュース設定部４５に、「天気予報」や「国内事件」といったニュース種類のカテゴリーを示している。該当の種類のラジオボタンを選択し、次へボタン表示４１の指示に対応した操作により、図４（ｃ）へ画面が遷移する。なお、戻るボタン表示４０の指示に対応した操作により、１つ前の画面である図４（ａ）に戻り、キャンセルボタン表示４２の指示に対応した操作により、画面が遷移した直後の画面、すなわち、ニュース設定部４５のラジオボタンが何も選択されていない画面となる。
図４（ｃ）は、報知手段として音のバリエーション（種類）を選択する画面を示す。音バリエーション設定部４６に、音のバリエーションとして着信メロディや着うた（登録商標）等のバリエーションを示している。上述の図４（ｂ）と同様、該当のラジオボタンを選択し、次へボタン表示４１の指示に対応した操作により、図４（ｄ）へ画面が遷移する。
図４（ｄ）は、報知手段として機能に関する設定を選択する画面を示す。機能設定部４７に、設定可能な「アラーム」や「着信音」等の機能の内容を示している。該当のラジオボタンを選択し、登録ボタン表示４３の指示に対応した操作により、出力情報提供サーバ３に、それまでに設定した情報を送信する。また、出力情報提供サーバ３が登録処理を行い、登録結果を送信することにより、携帯電話機１には、図４（ｅ）の画面が示される。
【００３３】
図３に戻って、その後、ステップＳ１２において、制御部１０（送信制御手段１１３）は、上述の図４において説明した、設定した情報を、送信部１５を介して出力情報提供サーバ３に送信する。ここで、設定した情報としてコンテンツの種類情報は必須の情報である。このステップＳ１２は、上述したとおり、図４（ｄ）の画面において登録ボタン表示４３の指示に対応した操作により行われる。
ここで、図５（１）は、設定登録の際に、携帯電話機１の記憶部２０に記憶される機能設定テーブル５０の内容を示す。機能設定テーブル５０は、ニュース種類５１、機能内容５２、位置データ５３、及び音データ５４を有する。位置データ５３とは、コンテンツの格納場所を示したデータをいう。なお、音のバリエーションを設定した場合には、当該項目を有してもよい。ここで、本実施形態で使用している携帯電話機１の電話番号を「０９０１２３４×××８」とする。この機能設定テーブル５０には、既に登録された設定情報が格納されている（図５（１）（ａ））。そして、今回の登録処理により、天気予報に関する設定が追加登録される（図５（１）（ｂ））。より具体的には、図３にて説明した処理により、携帯電話機１を用いて登録を行ったニュースの種類及び設定した機能の内容が、それぞれニュース種類５１及び機能内容５２に格納される。なお、位置データ５３（図５（１）（ｃ））及び音データ５４（図５（１）（ｄ））には、後述の図６で説明する出力情報取得処理によってデータが格納される。
【００３４】
図３に戻り、ステップＳ３１において、出力情報提供サーバ３の制御部３０は、ステップＳ１２で携帯電話機１が送信した設定情報を、受信部３４を介して受信する。次に、ステップＳ３２では、制御部３０は、設定情報を記憶部３１に記憶する。
ここで、図５（２）は、出力情報提供サーバ３の記憶部３１に記憶される設定情報の一部である取得ニューステーブル６０の内容を示す。取得ニューステーブル６０は、携帯電話機１を識別する端末識別情報６１（本実施形態では電話番号）及びニュース種類６２を有する。また、この取得ニューステーブル６０には、既に複数の携帯電話機１により登録した設定情報が格納されており（図５（２）（ａ））、今回の電話番号が「０９０１２３４×××８」である携帯電話機１からの登録処理により、天気予報に関する設定情報が登録される（図５（２）（ｂ））。なお、音のバリエーションの設定を行った場合には、その情報に関しても記憶部３１に記憶する。
【００３５】
図３に戻り、ステップＳ３３では、制御部３０は、記憶した結果情報を、送信部３３を介して携帯電話機１に送信する。
次に、ステップＳ１３において、携帯電話機１の制御部１０は、受信部１６を介して出力情報提供サーバ３から結果情報を受信し、表示部１１に表示する。
ここで、図４（ｅ）は、ステップＳ１３の処理により表示部１１に表示される結果情報の画面例を示す。登録結果部４８に、出力情報提供サーバ３から送信された結果情報を示している。
【００３６】
このような処理により、予め携帯電話機１で登録した設定情報は、出力情報提供サーバ３に登録される。その後は、出力情報提供サーバ３に登録した設定情報の内容に基づき出力情報提供サーバ３が処理を行い、登録した設定情報の内容に応じて携帯電話機１に、携帯電話機１で出力可能な情報を提供する。よって、携帯電話機１のユーザは、コンテンツの取得に際して都度登録する手間を省くことができる。
【００３７】
次に、登録した設定情報の内容に基づき、携帯電話機１が出力情報を取得する処理について説明する。
図６は、本実施形態の一例に係る出力情報提供システム１００の出力情報取得処理を示すフローチャートである。
図７は、図６の処理において使用するテーブルの例を示す図である。
【００３８】
まず、図６において、ステップＳ７０１では、コンテンツサーバ７は、ニュースが発生したか否かを判断する。具体的には、コンテンツサーバ７にニュースのコンテンツが登録又は更新されたか否かを、コンテンツサーバ７の制御部（図示せず）が判断する。ニュースが発生した場合（ステップＳ７０１の処理でＹＥＳが判断される場合）には、コンテンツサーバ７の制御部は、処理をステップＳ７０２に移す。他方、ニュースが発生していない場合（ステップＳ７０１の処理でＮＯが判断される場合）には、コンテンツサーバ７の制御部は、引続きステップＳ７０１の処理を繰り返す。ステップＳ７０２では、コンテンツサーバ７の制御部は、発生したニュースのコンテンツを、出力情報提供サーバ３に送信する。
【００３９】
次に、出力情報提供サーバ３の制御部３０（検知手段１３１）は、受信部３４を介してコンテンツサーバ７からニュースのコンテンツを受信することにより、ニュースのコンテンツの発生を検知する。その後、ステップＳ３０２では、制御部３０（コンテンツ選択手段１３２）は、受信したニュースのコンテンツが記憶部３１に格納される取得ニューステーブル６０に記憶した設定情報の内容（ニュース種類）と合致するものであるか否かを判断する。例えば、設定情報の内容が東京地方の天気予報のコンテンツの場合、コンテンツサーバ７から受信したニュースのコンテンツが東京地方の天気予報を含むものであるか否かを判断する。記憶した設定情報の内容と合致する場合（ステップＳ３０２の処理でＹＥＳが判断される場合）には、制御部３０（コンテンツ選択手段１３２）は、処理をステップＳ３０３に移す。他方、記憶した設定情報の内容と合致しない場合（ステップＳ３０２の処理でＮＯが判断される場合）には、制御部３０（コンテンツ選択手段１３２）は、本処理を終了する。具体的には、次のニュースのコンテンツの受信を待つこととなる。
このような処理により、出力情報提供サーバ３は、予め設定された情報に基づき、自動的にコンテンツを携帯電話機１に送信することができる。また、出力情報提供サーバ３は、ユーザの希望のコンテンツに関してのみ送信する等、ユーザの設定に基づきコンテンツを選択するので、ユーザは、出力されたコンテンツから好みのコンテンツを選別するといった手間を省くことができ、好みのコンテンツのみを知ることができる。
【００４０】
ステップＳ３０３では、制御部３０（抽出手段１３３）は、受信したニュースのコンテンツの本文からキーワードに基づき文字データを抽出する。キーワードとは、例えば、天気予報の場合であれば、「晴れ」「曇り」「雨」「強風」「蒸暑い」等々の天気予報に特有の単語であり、予め出力情報提供サーバ３の記憶部３１に記憶されているものである。このような記憶部３１に記憶されたキーワードのうち、ニュースのコンテンツに含まれるキーワードに関連した文字データを抽出する。その後、ステップＳ３０４では、制御部３０（出力情報選択手段１３４）は、抽出した文字データに基づき、音データを検索する。例えば、文字データ「雨」を音データサーバ８に送信し、音データサーバ８の制御部（図示せず）は、文字データ「雨」に基づき音データサーバ８の記憶部（図示せず）に記憶された「雨」に関連した曲の音データを検索する。ここで、携帯電話機１が設定処理を行った際に、音の種類に指定を行った場合には、制御部３０（音情報選択手段１３６）が、音の種類も考慮して音データサーバ８の記憶部に記憶された音データを検索する。その後、ステップＳ３０５では、制御部３０は、検索結果に基づき音データの要求を、送信部３３を介して音データサーバ８に送信する。
【００４１】
ステップＳ８０１において、出力情報提供サーバ３から音データの要求を受信した音データサーバ８の制御部は、ステップＳ８０２にて、要求に基づいた音データを出力情報提供サーバ３に送信する。
次に、ステップＳ３０６において、音データサーバ８から音データを受信した出力情報提供サーバ３の制御部３０は、ステップＳ３０７にて、ニュースのコンテンツが格納された場所を示すニュース元情報を取得する。これは、ステップＳ３０１でニュースを受信した際に取得していてもよい。その後、ステップＳ３０８では、制御部３０（送信制御手段１３５）は、取得した音データ及びニュース元情報を、送信部３３を介して携帯電話機１に送信する。
ステップＳ１０１において、出力情報提供サーバ３から音データ及びニュース元情報を受信した携帯電話機１の制御部１０は、ステップＳ１０２にて、機能内容に関連付けて記憶する。具体的には、音データ及びニュース元情報を、これらの情報を取得した契機であるニュース種類の情報と共に受信して、機能設定テーブル５０の該当部分に格納する。その後、携帯電話機１の制御部１０は、本処理を終了する。
【００４２】
ここで、図７は、本処理によって情報が登録された携帯電話機１の記憶部２０に記憶される機能設定テーブル５０の内容を示す。上述の図５（１）で空欄となっていたニュース種類５１が「天気予報（東京）」に関するデータ（図７（ａ））の位置データ５３には、該当のコンテンツのＵＲＬが格納され、音データ５４には、音データサーバ８に格納されている「○△×．ｍｉｄ」の音データが格納されている。
【００４３】
このように、ニュースのコンテンツが発生したことに応じて、出力情報提供サーバ３は、携帯電話機１で要求する種類のニュースのコンテンツか否かを判断し、要求するニュースのコンテンツの場合には、コンテンツに関連する音データ及びコンテンツの格納場所を示すニュース元情報を携帯電話機１に送信する。よって、ニュースのコンテンツが発生した都度、条件に合致した場合には、携帯電話機１に音データ及びニュース元情報が自動で受信及び格納されるため、携帯電話機１のユーザは、何ら手を煩わせることなく、希望のニュースのコンテンツを、ニュースのコンテンツに関連する音データと共に得ることができる。
【００４４】
最後に、携帯電話機１により取得コンテンツ等を出力する処理について説明する。
図８は、本実施形態の一例に係る携帯電話機１の出力処理を示すフローチャートである。
まず、ステップＳ１１１では、制御部１０は、機能に関する設定内容が合致したか否かを判断する。機能に関する設定内容が合致するとは、記憶部２０に記憶されている機能設定テーブル５０の機能内容５２の条件を満たすことをいい、制御部１０により判断される。より具体的に、上述の図７に示した場合では、例えば、「電話が着信した」場合（上段）や「６：００になった」場合（下段）等を指す。機能に関する設定内容が合致した場合（ステップＳ１１１でＹＥＳが判断される場合）には、制御部１０は、処理をステップＳ１１２に移す。他方、機能に関する設定内容が合致しない場合（ステップＳ１１１でＮＯが判断される場合）には制御部１０は、引続きステップＳ１１１の処理を行い、条件を満たすのを待つ。
ステップＳ１１２では、制御部１０は、合致した設定内容に該当する出力を行う。具体的には、第１出力制御手段１１５は、音データの出力を行うため、音声出力部１７に対して、該当の音に関する音データを出力する制御を行う。また、第２出力制御手段１１６は、ニュース元情報を表示部１１に表示させる制御を行う。その後、制御部１０は、本処理を終了する。
このような処理により、本システム１００は、コンテンツに関連付けられた音を、ユーザの設定したタイミングで出力するため、音が、ユーザにコンテンツを見させる動機付けとなる。また、ユーザは、出力された音により、どのようなコンテンツが出力されたか、興味を持ってコンテンツを見ることができる。よって、本システム１００は、音を出力することによって、エンターテイメント性を持たせることができ、ユーザは、コンテンツに対する興味を惹きつけることができる。さらに、ユーザは、出力されたコンテンツの内容と音とを比較することができ、両情報の関連性を楽しむことができる。
【００４５】
図９は、本実施形態の一例に係る携帯電話機１での出力例を示す図である。
携帯電話機１の表示部１１に、起動結果部４９が示される。起動結果部４９に、位置情報７０として、上述の図７で説明した機能設定テーブル５０の位置データ５３に格納されたニュースのコンテンツを示す位置の情報であるＵＲＬ（Ｕｎｉｆｏｒｍ  Ｒｅｓｏｕｒｃｅ  Ｌｏｃａｔｏｒ）が示され、日付情報７１として、同様に機能設定テーブル５０の機能内容５２に格納された機能の内容が示されている。位置情報７０は、ユーザが操作部１２を操作し、位置情報７０を指定して選択することにより、該当のニュースのコンテンツ自体を表示部１１に表示できるようにリンクが張られていることが好ましい。携帯電話機１の操作は、キーボードを備えたパソコン等よりも操作性に乏しいため、クリック等の簡易な操作でニュースのコンテンツを表示させることにより、ユーザの利便性を向上させるためである。また、スピーカ２２からは、機能設定テーブル５０の音データ５４に格納された音データが出力されている。また、起動と同時に、バイブレータ部１３及び発光部１４を機能させてもよい。
【００４６】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４７】
（変形形態）
以上、説明した実施形態に限定されることなく、種々の変形や変更が可能であって、それらも本発明の範囲内である。
上述の実施形態では、アラーム設定に関するものとして記載したが、これに限らず、電子メールや電話の着信等においても使用できる。また、天気予報の設定に関するものとして記載したが、これに限らず、芸能情報、経済情報、国際情勢等の各種ニュースであってもよい。
上述の実施形態では、ニュースのコンテンツの本文から文字データを抽出するものとして記載したが、これに限定されるものではない。ニュースのコンテンツの本文にはない、例えば、動画コンテンツに含まれる音声データから文字を生成して、文字データを抽出してもよい。
上述の実施形態では、ニュースのコンテンツについて記載したが、これに限定されるものではない。不定期に、又は定期的に登録又は更新されるコンテンツに関するものであれば、どのようなコンテンツでも使用できる。
【図面の簡単な説明】
【００４８】
【図１】本実施形態の一例に係る出力情報提供システムの構成を示す図である。
【図２】本実施形態の一例に係る携帯電話機及び出力情報提供サーバの機能ブロックを示す図である。
【図３】本実施形態の一例に係る出力情報提供システムの設定処理を示すフローチャートである。
【図４】本実施形態の一例に係る設定処理時の携帯電話機が表示する画面表示例を示す図である。
【図５】図３の処理において使用するテーブルの例を示す図である。
【図６】本実施形態の一例に係る出力情報提供システムの出力情報取得処理を示すフローチャートである。
【図７】図６の処理において使用するテーブルの例を示す図である。
【図８】本実施形態の一例に係る携帯電話機の出力処理を示すフローチャートである。
【図９】本実施形態の一例に係る携帯電話機での出力例を示す図である。
【符号の説明】
【００４９】
１    携帯電話機
３    出力情報提供サーバ
７    コンテンツサーバ
８    音データサーバ
１０  制御部
１１  表示部
１３  バイブレータ部
１４  発光部
１５  送信部
１６  受信部
１７  音声出力部
２０  記憶部
２２  スピーカ
３０  制御部
３１  記憶部
３３  送信部
３４  受信部
５０  機能設定テーブル
６０  取得ニューステーブル
１００  出力情報提供システム
１１１  タイミング設定制御手段
１１２  受付手段
１１３  送信制御手段
１１４  受信制御手段
１１５  第１出力制御手段
１１６  第２出力制御手段
１３１  検知手段
１３２  コンテンツ選択手段
１３３  抽出手段
１３４  出力情報選択手段
１３５  送信制御手段
１３６  音情報選択手段
１３８  出力情報決定手段
【図１】
2008305146.tif 000003
【図２】
2008305146.tif 000004
【図３】
2008305146.tif 000005
【図４】
2008305146.tif 000006
【図５】
2008305146.tif 000007
【図６】
2008305146.tif 000008
【図７】
2008305146.tif 000009
【図８】
2008305146.tif 000010
【図９】
2008305146.tif 000011